(57)【要約】【課題】コスト低減および消費電力を低減するとともに、実装面積を減少することができる表示装置の駆動方法を提供する。【解決手段】複数の表示装置において、１つのデータ信号駆動回路を共用し、それぞれの表示装置を時分割で駆動する。【選択図】　　　　図１
2004109595.tif 000002
【特許請求の範囲】
【請求項１】
複数の表示装置において、１つのデータ信号駆動回路を共用し、それぞれの表示装置を時分割で駆動する表示装置の駆動方法。
【請求項２】
複数の表示装置において、１つのデータ信号駆動回路を共用し、セレクタスイッチで切り替えることにより、該データ信号駆動回路のデータ出力と前記複数の表示装置のデータ入力を駆動する順に接続し、それぞれの表示装置を時分割で駆動する表示装置の駆動方法。
【請求項３】
複数の表示装置において、１つのデータ信号駆動回路を共用し、該データ信号駆動回路のデータ出力を前記複数の表示装置すべてのデータ入力と接続し、ゲート信号駆動回路の動作／非動作を時分割で切り替える表示装置の駆動方法。
【請求項４】
複数の表示装置において、１つのデータ信号駆動回路を共用し、駆動されていない表示装置のデータ入力とデータ信号駆動回路のデータ出力とを切り離せるようにすることにより、それぞれの表示装置を時分割で駆動する表示装置の駆動方法。
【請求項５】
マルチプレクサを内蔵する複数の表示装置において、１つのデータ信号駆動回路を共用し、それぞれの表示装置のＲ／Ｇ／Ｂを時分割駆動する表示装置の駆動方法。
【請求項６】
複数の表示装置において、ＲＡＭを内蔵する１つのデータ信号駆動回路を共用し、１つまたはいくつかの表示装置を駆動する際は前記ＲＡＭを使用せずに送られてきたデータを直接書き込み、残りの表示装置を駆動する際は送られてきたデータを一旦前記ＲＡＭに保存したのち、そのＲＡＭに保存されたデータを利用して書き込む表示装置の駆動方法。
【請求項７】
マルチプレクサを内蔵する複数の表示装置において、１つのデータ信号駆動回路を共用し、データ出力信号を表示装置の分だけ分割し、各表示装置で、３×表示装置数に時分割駆動する表示装置の駆動方法。
【請求項８】
請求項１、２、３、４、５、６または７記載の駆動方法を用いる表示装置。
【発明の詳細な説明】
【０００１】
【発明の属する技術分野】
本発明は表示装置およびその駆動方法に関する。さらに詳しくは、たとえば携帯電話などの携帯電子機器に用いられる表示装置およびその駆動方法に関するものである。
【０００２】
【従来の技術】
近年、携帯電話において、メインの表示装置である液晶表示装置（以下、ＬＣＤという）に加えて、背面にサブのＬＣＤを備えるものが多くなってきている。そして、このサブＬＣＤにおいてもメインＬＣＤと同等の性能が要求されるようになりつつある。このようにサブＬＣＤを備えようとすると、従来では、単にＬＣＤモジュールをもう１組使用し、メインＬＣＤとサブＬＣＤの２つのＬＣＤを同時に表示させている。
【０００３】
図１３は２組の表示装置を駆動する従来の駆動方法の説明図である。メインＬＣＤ１５１とサブＬＣＤ１５２を同時に表示させる場合、コントローラ１５３からの制御信号およびデータ信号によりデータ信号駆動回路１５４、電源／レベルシフタ１５５およびゲート信号駆動回路１５６を介してメインＬＣＤ１５１を駆動させるとともに、前記コントローラ１５３からの制御信号およびデータ信号によりデータ信号駆動回路１５７、電源／レベルシフタ１５８およびゲート信号駆動回路１５９を介してサブＬＣＤ１５２を駆動させている。なお、図１３において、１６０、１６１はそれぞれＬＣＤ１５１およびサブＬＣＤ１５２の表示領域である。
【０００４】
【発明が解決しようとする課題】
しかしながら、従来では、２つのＬＣＤ１５１、１５２を駆動するため、データ信号駆動回路、電源／レベルシフタおよびゲート信号駆動回路がそれぞれ２組ずつ必要である。
【０００５】
このため、コストや消費電力はサブＬＣＤ１５２やそれを構成する分がそのまま増加する。また、とくにドライバＩＣは、ＬＣＤモジュール全体のコストに占めるウエイトが大きく、ドライバＩＣのコスト低減は全体のコストを下げるのに重要な要因である。さらに実装する部品数が増加することによって、ガラス上またはＩＣなどが実装される基板の実装面積が増大するという問題がある。
【０００６】
本発明は、叙上の事情に鑑み、コスト低減および消費電力を低減するとともに、実装面積を減少することができる表示装置およびその駆動方法を提供することを目的とする。
【０００７】
【課題を解決するための手段】
本発明の表示装置の駆動方法は、複数の表示装置において、１つのデータ信号駆動回路を共用し、それぞれの表示装置を時分割で駆動することを特徴とする。
【０００８】
また、本発明の駆動方法は、複数の表示装置において、１つのデータ信号駆動回路を共用し、セレクタスイッチで切り替えることにより、該データ信号駆動回路のデータ出力と前記複数の表示装置のデータ入力を駆動する順に接続し、それぞれの表示装置を時分割で駆動することを特徴とする。
【０００９】
また、本発明の表示装置の駆動方法は、複数の表示装置において、１つのデータ信号駆動回路を共用し、該データ信号駆動回路のデータ出力を前記複数の表示装置すべてのデータ入力と接続し、ゲート信号駆動回路の動作／非動作を時分割で切り替えることを特徴とする。
【００１０】
また、本発明の表示装置の駆動方法は、複数の表示装置において、１つのデータ信号駆動回路を共用し、駆動されていない表示装置のデータ入力とデータ信号駆動回路のデータ出力とを切り離せるようにすることにより、それぞれの表示装置を時分割で駆動することを特徴とする。
【００１１】
また、本発明の表示装置の駆動方法は、マルチプレクサを内蔵する複数の表示装置において、１つのデータ信号駆動回路を共用し、該複数の表示装置のＲ／Ｇ／Ｂを時分割駆動することを特徴とする。
【００１２】
また、本発明の表示装置の駆動方法は、複数の表示装置において、ＲＡＭを内蔵する１つのデータ信号駆動回路を共用し、１つまたはいくつかの表示装置を駆動する際は前記ＲＡＭを使用せずに送られてきたデータを直接書き込み、残りの表示装置を駆動する際は送られてきたデータを一旦前記ＲＡＭに保存したのち、そのＲＡＭに保存されたデータを利用して書き込むことを特徴とする。
【００１３】
また、本発明の表示装置の駆動方法は、マルチプレクサを内蔵する複数の表示装置において、１つのデータ信号駆動回路を共用し、データ出力信号を表示装置の分だけ分割し、各表示装置で、３×表示装置数に時分割駆動することを特徴とする。
【００１４】
さらに本発明の表示装置は、請求項１、２、３、４、５、６または７記載の駆動方法を用いることを特徴とする。
【００１５】
【発明の実施の形態】
以下、添付図面に基づいて、本発明の表示装置およびその駆動方法を説明する。
【００１６】
実施の形態１
図１〜２は本発明の実施の形態１にかかわる表示装置を示す概略図である。まずＬＣＤ１またはＬＣＤ２を表示させる場合の例について説明する。図１に示されるように、ＬＣＤ１のみを表示させる場合は、コントローラ３からの制御信号およびデータ信号によりデータ信号駆動回路４、電源／レベルシフタ５およびゲート信号駆動回路６を介してＬＣＤ１を駆動させる。なお、図１において、７は表示領域である。これに対し、図２に示されるように、ＬＣＤ２のみを表示させる場合は、コントローラ３からの制御信号およびデータ信号を用いてデータ信号駆動回路４、電源／レベルシフタ５およびゲート信号駆動回路８によりＬＣＤ２を駆動させる。なお、図２において、９は表示領域である。
【００１７】
つぎにＬＣＤ１およびＬＣＤ２を同時に表示させる場合を説明する。初めの１フレーム期間は、図１に示されるように、コントローラ３からの制御信号およびデータ信号によりデータ信号駆動回路４、電源／レベルシフタ５およびゲート信号駆動回路６を介しＬＣＤ１を駆動させる。ついで１フレーム期間は、図２に示されるように、コントローラ３からの制御信号およびデータ信号によりデータ信号駆動回路４、電源／レベルシフタ５およびゲート信号駆動回路８を介しＬＣＤ２を駆動させる。このようにＬＣＤ１とＬＣＤ２を交互に駆動させることにより、２つのＬＣＤ１、２を同時に表示させることができる。
【００１８】
なお、本実施の形態１では、ＬＣＤ１とＬＣＤ２を同時に表示させる場合、１フレーム期間ごとに駆動させるようにしているが、本発明においては、たとえばＬＣＤ１をｍフレーム期間およびＬＣＤ２をｎフレーム期間駆動させるようにすることもできる。
【００１９】
本実施の形態１では、１つのデータ信号駆動回路を用いて、ＬＣＤ１とＬＣＤ２を時分割で駆動することにより、該ＬＣＤ１とＬＣＤ２を同時に表示させることができる。これにより、コスト低減および消費電力を減少させることことができる。
【００２０】
なお、本実施の形態１では、ＬＣＤ１とＬＣＤ２を表示させるようにしているが、本発明においては、３つ以上のＬＣＤをそれぞれまたは同時に表示させることもできる。
【００２１】
実施の形態２
図３は本発明の実施の形態２にかかわる表示装置を示す概略図である。図３において、２１はデータ信号駆動回路４と電源／レベルシフタ５からの制御信号およびデータ信号をＬＣＤ１側の入力に接続するか、またはＬＣＤ２側の入力に接続するかを選択するためのセレクタスイッチである。なお、図３において示す想像線は、コントロール３がセレクタスイッチ２４を切り替える制御（選択）信号を与えることを示している。前記コントローラ３で選択信号を発生したのち、その選択信号により、ＬＣＤ１を駆動させるときには、制御信号およびデータ信号をＬＣＤ１の入力に切り替える。また、ＬＣＤ２を駆動させるときには、ＬＣＤ２の入力に切り替えることにより、ＬＣＤ１とＬＣＤ２を交互に駆動させることにより同時に表示させることができる。
【００２２】
本実施の形態２では、セレクタスイッチで切り替えることにより、データ信号駆動回路のデータ出力とＬＣＤ１、ＬＣＤ２のデータ入力を駆動させる順に接続し、それぞれのＬＣＤを時分割で駆動させることにより、２つのＬＣＤを同時に表示させるとともに、コスト低減および消費電力をを減少することができる。
【００２３】
また、本実施の形態２では、ＬＣＤ１とＬＣＤ２を表示させるようにしているが、本発明においては、３つ以上のＬＣＤをそれぞれまたは同時に表示させることもできる。
【００２４】
実施の形態３
図４〜５は本発明の実施の形態３にかかわる表示装置を示す概略図である。図４に示されるように、データ信号駆動回路４と電源／レベルシフタ５ａ、５ｂからのデータ出力は、ＬＣＤ１側のデータ入力およびＬＣＤ２側のデータ入力の両方に接続しておく。そして、前記ＬＣＤ１におけるゲート信号駆動回路６のスタート信号とＬＣＤ２におけるゲート信号駆動回路８のスタート信号とをコントローラ３によりそれぞれ別々に制御する。まず図４に示されるように、ＬＣＤ１を駆動させるときは、ゲート信号駆動回路６にのみスタート信号を送ると、該ゲート信号駆動回路６が動作し、該回路６の各ゲート線が順次選択される。これにより、データ信号駆動回路４からのデータ出力がＬＣＤ１の各画素に書き込まれる。このとき、ＬＣＤ２のゲート信号駆動回路８は、スタート信号が入ってこないので動作しない。このため、該ゲート信号駆動回路８のすべてのゲートは選択されず、データ信号駆動回路４からのデータ出力は各画素に書き込まれることはない。逆に図５に示されるように、ＬＣＤ２を駆動させるときは、ゲート信号駆動回路８にのみスタート信号を送り、データ信号駆動回路４のデータ出力をＬＣＤ２の各画素にのみ書き込む。
【００２５】
つぎに本実施の形態３におけるＬＣＤの動作を図６に示す１フレーム期間における信号波形を用いて説明する。まずＬＣＤ１のゲート信号駆動回路６のスタート信号ＳＴ１にのみＨ（Ｈｉｇｈ）パルスを出力し、ＬＣＤ２のスタート信号ＳＴ２はＬ（Ｌｏｗ）のまま（ＯＦＦの状態）にしておく。すると、ＬＣＤ１側のデータ入力用ゲート線Ｇ１（１）〜Ｇ１（ｉ）（ｉ：ＬＣＤ１のライン数）は順次選択されていき、ＬＣＤ２側のデータ入力用ゲート線Ｇ２（１）〜Ｇ２（ｊ）（ｊ：ＬＣＤ２のライン数）は選択されない。逆にＬＣＤ２のスタート信号ＳＴ２のみＨパルスを出力し、ＬＣＤ１のスタート信号ＳＴ１はＬのままにしておくと、ＬＣＤ２側のゲート線Ｇ２（１）〜Ｇ２（ｊ）（ｊ：ＬＣＤ２のライン数）は次々に選択されていき、ＬＣＤ１側のゲート線Ｇ１（１）〜Ｇ１（ｉ）（ｉ：ＬＣＤ１のライン数）は選択されない。１フレームごとにスタート信号ＳＴ１とＳＴ２を交互に送ることにより、交互にＬＣＤ１とＬＣＤ２を駆動することができ、同時に表示させることができる。なお、信号の極性やパルスによる制御方法に限られるものではない。また、アウトプットイネーブルのような出力制御方法でも可能である。
【００２６】
なお、本実施の形態３では、ＬＣＤ１とＬＣＤ２を同時に表示させる場合、スタート信号ＳＴ１とＳＴ２を１フレームごとに交互に送るようにしているが、本発明においては、たとえばＬＣＤ１のｎフレームに対してＬＣＤ２のｍフレームごとにスタート信号ＳＴ１とＳＴ２を交互に送ることもできる。
【００２７】
本実施の形態３では、データ信号駆動回路のデータ出力を２つの表示装置すべてのデータ入力と接続し、ゲート信号駆動回路の動作／非動作を時分割で切り替えることにより、２つの表示装置を同時に表示させるとともに、コスト低減および消費電力を減少することができる。
【００２８】
また、本実施の形態３では、ＬＣＤ１とＬＣＤ２を表示させるようにしているが、本発明においては、３つ以上のＬＣＤをそれぞれまたは同時に表示させることもできる。
【００２９】
実施の形態４
図７は本発明の実施の形態４にかかわる表示装置を示す概略図である。前記実施の形態３のように、データ信号駆動回路４のデータ出力をＬＣＤ１とＬＣＤ２の両方のデータ入力に接続すると、データ信号駆動回路４のデータ出力端子にかかる負荷容量が大きくなってしまう。そこで、本実施の形態４では、図７に示されるように、ガラス基板上にスイッチ群４１、４２を設けることにより駆動させない側のＬＣＤ分の負荷容量をなくすことができ、データ出力端子の負荷容量を小さくすることができる。なお、本実施の形態４では、ゲート信号駆動回路６、８に送るスタート信号の説明については省略する。
【００３０】
まずコントローラ３よりＬＣＤ１のスイッチ群４１とＬＣＤ２のスイッチ群４２をＯＮ／ＯＦＦする制御信号を発生させる。前記スイッチ群４１には、この制御信号をそのままの極性で制御信号として用い、前記スイッチ群４２には、インバータ４３によりこの制御信号の極性を反転させた反転信号を制御信号に用いる。なお、コントローラ３による両極性の２本の信号出力を用いてもよい。たとえばスイッチ群４１、４２は制御信号がＨｉｇｈのときにＯＮ、ＬｏｗのときにＯＦＦすると設定すると、ＬＣＤ１を駆動したい場合にはコントローラ３から、Ｈｉｇｈの制御信号を発生させ、スイッチ群４１をＯＮさせる。このとき、スイッチ群４２にはＬｏｗの反転信号が制御信号に入力されるのでＯＦＦの状態であり、ＬＣＤ２の分の負荷容量はデータ信号駆動回路４のデータ出力端子から切り離される。逆にコントローラ３からＬｏｗの制御信号を出力させると、スイッチ群４２がＯＮするのでＬＣＤ２は駆動する。これにより、スイッチ群４１はＯＦＦの状態となるので、ＬＣＤ１の分の負荷容量はデータ信号駆動回路４のデータ出力端子から切り離される。
【００３１】
本実施の形態４では、ＬＣＤ１とＬＣＤ２を時分割駆動する場合、駆動されていないＬＣＤのデータ入力とデータ信号駆動回路４のデータ出力とを切り離せるようにすることにより、２つの表示装置を同時に表示させるとともに、コスト低減および消費電力を減少することができる。また、データ信号駆動回路４の出力につながるデータ出力端子の負荷容量を減少することができるため、ドライバの駆動能力を押さえることができる。その結果、消費電力を減少することができる。なお、信号の極性は限定されるものではない。
【００３２】
また、本実施の形態４では、ＬＣＤ１とＬＣＤ２を表示させるようにしているが、本発明においては、３つ以上のＬＣＤをそれぞれまたは同時に表示させることもできる。
【００３３】
実施の形態５
図８は本発明の実施の形態５にかかわる表示装置を示す概略図である。本実施の形態５は、図８に示されるように、ＬＣＤ１およびＬＣＤ２は、たとえば低温ポリシリコンＴＦＴを用いた３相マルチプレクサ（以下、ＭＵＸという）５１、５２をそれぞれ内蔵している時分割駆動のＬＣＤである。ＬＣＤ１、ＬＣＤ２のデータおよびゲート信号駆動回路６、８の制御信号には、それぞれ同じ信号が入力されている。また、ＬＣＤ１およびＬＣＤ２に内蔵されているＭＵＸ５１、５２には、それぞれ３本、計６本のＭＵＸ制御信号がコントローラ３から入力されている。なお、本実施の形態５では、ゲート信号駆動回路６、８に送るスタート信号の説明については省略する。
【００３４】
つぎに本実施の形態５におけるＬＣＤの動作を図９に示す１フレーム期間における信号波形を用いて説明する。図９に示されるように、Ｌライン目のゲートＧ（Ｌ）が選択されているとき、１ライン期間ＬＴ中にＭＵＸ５１の制御信号ＭＵＸ　Ｒ（１）、ＭＵＸ　Ｇ（１）、ＭＵＸ　Ｂ（１）およびＭＵＸ５２の制御信号ＭＵＸ　Ｒ（２）、ＭＵＸ　Ｇ（２）、ＭＵＸ　Ｂ（２）が順次Ｈｉｇｈになり、それぞれに対応するデータＤＡＴＡが選択された画素に書き込まれる。たとえばＭＵＸ　Ｒ（１）がＨｉｇｈの場合、データ信号駆動回路４から出力されたデータＤＡＴＡはメインＬＣＤ１の赤（Ｒ）の画素に書き込まれる。ついでＭＵＸ　Ｇ（１）がＨｉｇｈになると、データ信号駆動回路４から出力されたデータＤＡＴＡはＬＣＤ１の緑（Ｇ）の画素に書き込まれる。ついでＭＵＸ　Ｂ（１）がＨｉｇｈになると、データ信号駆動回路４から出力されたデータＤＡＴＡはＬＣＤ１の青（Ｂ）の画素に書き込まれる。このようにして、引き続き１ライン期間ＬＴ中にＭＵＸ　Ｒ（２）、ＭＵＸ　Ｇ（２）およびＭＵＸ　Ｂ（２）と順次画素にデータＤＡＴＡが書き込まれていく。
【００３５】
本実施の形態５では、マルチプレクサを内蔵するＬＣＤ１、ＬＣＤ２のＲ／Ｇ／Ｂをトータルで時分割駆動することにより、ＬＣＤ１とＬＣＤ２を同時に表示させることができる。また、低温ポリシリコンＴＦＴを例としたが、これに限定されるものではない。
【００３６】
なお、本実施の形態５では、ＬＣＤ１とＬＣＤ２を表示させるようにしているが、本発明は、これに限定されるものではなく、複数のＬＣＤに適用することができる。さらに時分割の順番は、Ｒ（１）／Ｇ（１）／Ｂ（１）／Ｒ（２）／Ｇ（２）／Ｂ（２）に限られるものではなく、たとえばＲ（１）／Ｒ（２）／Ｇ（１）／Ｇ（２）／Ｂ（１）／Ｂ（２）などとすることもできる。
【００３７】
実施の形態６
図１０は本発明の実施の形態６にかかわる表示装置を示す概略図である。なお、本実施の形態６では、ゲート信号駆動回路６、８に送るスタート信号の説明については省略する。本実施の形態６は、図１０に示されるように、ＲＡＭ６２を内蔵しているデータ信号駆動回路６１を用いて、ＬＣＤ１とＬＣＤ２を同時に表示させるようにしている。しかし、かかる場合、ＬＣＤ１用のバッファメモリとＬＣＤ２用のバッファメモリが必要になり、メモリの容量が大きくなるので、その結果ドライバＩＣのチップ面積が増加してしまう。かかるドライバＩＣのチップ面積が増加を回避するため、たとえば動画を表示することが多いＬＣＤ（たとえばＬＣＤ１とする）を駆動させるときは、ＲＡＭ６２を介さずにコントローラ３からのデータをＬＣＤ１の各画素に書き込む。そして、主に静止画を表示することが多い他方のＬＣＤ（ＬＣＤ２）を駆動させるときは、一度コントローラ３からのデータをＲＡＭ６２に保存し、その保存されているデータを使って静止画をＬＣＤ２の各画素に書き込む。
【００３８】
本実施の形態６では、ＬＣＤ１を駆動させる際はＲＡＭ６２を使用せずに送られてきたデータを直接書き込み、ＬＣＤ２を駆動させる際は送られてきたデータを一旦ＲＡＭに保存したのち、そのＲＡＭに保存されたデータを利用して書き込むことにより、データ信号駆動回路６１に内蔵されているＲＡＭ６２の容量を節約できるとともに、ドライバＩＣのチップ面積を小さくすることができる。たとえば画素数がＬＣＤ２の方が小さい場合、ＬＣＤ１の画素はＬＣＤ２の画素分でよい。その結果、コスト低減、消費電力および実装面積を減少することができる。なお、本実施の形態６では、ＬＣＤ１とＬＣＤ２を表示させるようにしているが、本発明は、これに限定されるものではなく、複数のＬＣＤに適用することができる。
【００３９】
実施の形態７
図１１は本発明の実施の形態７にかかわる表示装置の概略図である。本実施の形態７は、図１１に示されるように、ＬＣＤ１およびＬＣＤ２は、たとえば低温ポリシリコンＴＦＴを用いた（それぞれ画素数２ｍ×任意、２ｋ×任意の）６相マルチプレクサ（画素数がそれぞれｎｍ×任意、ｎｋ×任意のときは３×ｎ）７１、７２をそれぞれ内蔵している時分割駆動のＬＣＤである。ＬＣＤ１、ＬＣＤ２のデータおよびゲート信号駆動回路６、８の制御信号には、それぞれ同じ信号が入力されている。また、ＬＣＤ１およびＬＣＤ２に内蔵されているＭＵＸ７１、７２には、それぞれ６本ずつ同じＭＵＸ制御信号がコントローラ３から入力されている。また、ＭＵＸ７１、７２には、それぞれｍ本、ｋ本のデータ入力信号が入力される。ここで、ｍ＋ｋ＝データ信号駆動回路のデータ出力の本数である。なお、本実施の形態７では、ゲート信号駆動回路６、８に送るスタート信号の説明については省略する。
【００４０】
つぎに本実施の形態７におけるＬＣＤの動作を図１２に示す１フレーム期間における信号波形を用いて説明する。図１２に示されるように、Ｌライン目のゲートＧ（Ｌ）が選択されているとき、１ライン期間中にＭＵＸ７１およびＭＵＸ７２の制御信号ＭＵＸ　Ｒ（１）、ＭＵＸ　Ｒ（２）、ＭＵＸ　Ｇ（１）、ＭＵＸＧ（２）、ＭＵＸ　Ｂ（１）、ＭＵＸ　Ｂ（２）が順次Ｈｉｇｈになり、それぞれに対応するデータ　ＤＡＴＡが選択された画素に書き込まれる。たとえばＭＵＸ　Ｒ（１）がＨｉｇｈの場合、それぞれデータ信号駆動回路４から出力されたｍ本分のデータＤＡＴＡはＬＣＤ１の赤（Ｒ）の半分の画素、残りのｋ本分のデータＤＡＴＡはＬＣＤ２の赤（Ｒ）の半分の画素に書き込まれる。ついでＭＵＸ　Ｒ（２）がＨｉｇｈになると、データ信号駆動回路４から出力されたデータＤＡＴＡのｍ本分はＬＣＤ１の赤（Ｒ）の残り半分の画素、データＤＡＴＡの残りのｋ本分はＬＣＤ２の赤（Ｒ）の残り半分の画素に書き込まれる。このようにして、引き続き１ライン期間ＬＴ中にＭＵＸ　Ｇ（１）、ＭＵＸ　Ｇ（２）、ＭＵＸ　Ｂ（１）、ＭＵＸ　Ｂ（２）と順次データＤＡＴＡが書き込まれていく。なお、本実施の形態７では、ＬＣＤ１とＬＣＤ２を表示させるようとしているが、本発明は、これに限定されるものではなく、複数のＬＣＤに適用することができる。
【００４１】
【発明の効果】
以上説明したとおり、本発明によれば、複数のＬＣＤを１つのデータ信号駆動回路を用いて、それぞれのＬＣＤを時分割で駆動させることにより、コスト低減、消費電力および実装面積を減少することができる。
【図面の簡単な説明】
【図１】本発明の実施の形態１にかかわる表示装置を示す概略図である。
【図２】本発明の実施の形態１にかかわる表示装置を示す概略図である。
【図３】本発明の実施の形態２にかかわる表示装置を示す概略図である。
【図４】本発明の実施の形態３にかかわる表示装置を示す概略図である。
【図５】本発明の実施の形態３にかかわる表示装置を示す概略図である。
【図６】本実施の形態３における表示装置の動作を１フレーム期間における信号波形を用いて説明する図である。
【図７】本発明の実施の形態４にかかわる表示装置を示す概略図である。
【図８】本発明の実施の形態５にかかわる表示装置を示す概略図である。
【図９】本実施の形態５における表示装置の動作を１フレーム期間における信号波形を用いて説明する図である。
【図１０】本発明の実施の形態６にかかわる表示装置を示す概略図である。
【図１１】本発明の実施の形態７にかかわる表示装置を示す概略図である。
【図１２】本実施の形態７における表示装置の動作を１フレーム期間における信号波形を用いて説明する図である。
【図１３】２組の表示装置を駆動する従来の駆動方法の説明図である。
【符号の説明】
１、２　　ＬＣＤ
３　　コントローラ
４、６１　　データ信号駆動回路
５、５ａ、５ｂ　電源／レベルシフタ
６　　ゲート信号駆動回路
７、９　　表示領域
８　　ゲート信号駆動回路
２１　　セレクタスイッチ
４１、４２　　スイッチ群
４３　　インバータ
５１、５２　　３相マルチプレクサ
６２　　ＲＡＭ
７１、７２　　６相マルチプレクサ
【図１】
2004109595.tif 000003
【図２】
2004109595.tif 000004
【図３】
2004109595.tif 000005
【図４】
2004109595.tif 000006
【図５】
2004109595.tif 000007
【図６】
2004109595.tif 000008
【図７】
2004109595.tif 000009
【図８】
2004109595.tif 000010
【図９】
2004109595.tif 000011
【図１０】
2004109595.tif 000012
【図１１】
2004109595.tif 000013
【図１２】
2004109595.tif 000014
【図１３】
2004109595.tif 000015